【事件の表示】
　平成　３年特許願第３１９１９９号「空気調和機」拒絶査定に対する審判事件［平成　５年　６月２２日出願公開、特開平　５−１５７２７７］について、次のとおり審決する。
【結　論】
　本件審判の請求は、成り立たない。
【理　由】
１．手続の経緯・本願発明
　本願は、平成３年１２月３日の出願であって、請求項１及び請求項３に係る発明は、平成１１年５月２６日付け及び平成１２年１１月２９日付けの手続補正書により補正された明細書及び図面の記載からみて、その特許請求の範囲の請求項１及び請求項３に記載された次のとおりのものである。
「【請求項１】吸気口と排気口とを有する本体内に、圧縮機、熱交換器、送風機を装着すると共に、前記本体内に水受容器を収納する収納空間を形成し、前記本体一側面に形成され、且つ、前記収納空間に連通する開口部から水受容器を着脱自在に装着する空気調和機において、前記吸気口を前記本体一側面側もしくは前記本体一側面に対向する他側面側に形成し、水受容器が収納空間内の所定位置に収納された状態を検出する検出手段を設け、該検出手段の出力に基づいて圧縮機及び送風機を制御する制御手段を設けると共に、前記本体上部に前記吸気口を設けた面と略平行となる把手部を形成し、本体重心を、他側面側に設けたことを特徴とする空気調和機。
　【請求項３】吸気口と排気口とを有する本体内に、圧縮機、熱交換器、送風機を装着すると共に、前記本体内に水受容器を収納する収納空間を形成し、前記本体一側面に形成され、且つ、前記収納空間に連通する開口部から水受容器を着脱自在に装着する空気調和機において、前記吸気口を前記本体一側面側もしくは前記本体一側面に対向する他側面側に形成し、水受容器が収納空間内の所定位置に収納された状態を検出する検出手段を設け、該検出手段の出力に基づいて圧縮機及び送風機を制御する制御手段を設けると共に、前記本体上部に前記吸気口を設けた面と略平行となる把手部を形成し、前記水受容器の渇水状態において、本体重心を、他側面側に設けたことを特徴とする空気調和機。」
　　　　　
２．刊行物記載の発明
　これに対して、当審が平成１２年９月２８日付けで通知した拒絶理由に引用した、本願出願前に頒布された刊行物である、実願平１−４０４２３号（実開平２−１３３４１７号）のマイクロフィルム（以下、「引用例１」という。）には、
「本考案は、主として一般家庭用に使用される除湿器に関する。」（第１頁１４行〜１５行）こと、
「第１図及び第２図は、本考案の一実施例を示すものである。第１図において、(1)は除湿器の本体ケースであり、この本体ケース(1)には一側上部に吸込み口(2)、他側上部に吹出し口(3)、一側下部にタンク取出し口(4)がそれぞれ設けられている。前記本体ケース(1)の内部は仕切り板(5)にて上下に仕切られ、この仕切り板(5)の上には空気冷却器としての蒸発器(6)と、凝縮器(7)と、送風機(8)とが設けられている。また、前記仕切り板(5)の下には上面開口のドレンタンク(9)と、前記蒸発器(6)及び凝縮器(7)とともに冷媒回路を構成する圧縮機(10)とが設けられている。前記ドレンタンク(9)は透明の樹脂にて成形され、その前面部(9A)で本体ケース(1)の外殻の一部を構成しており、前記タンク取出し口(4)より本体ケース(1)内に引き出し自在に収容されている。」（第４頁５行〜２０行）こと、
「第２図は上述した除湿器の制御装置を示すものである。第２図において、(16)は交流電源、(17)は運転スイッチ、(18)は圧縮機駆動用モータ、(19)は送風機駆動用モータ、(20)はフロート装置(12)の回動に伴ってその接点(20A)がＮＣ接点からＮＯ接点に切り換わる切り換えスイッチ、(21)は切り換えスイッチ(20)の接点(20A)がＮＯ接点側に切り換った時にブザー(15)を一定時間作動させるタイマー装置である。」（第５頁１７行〜第６頁５行）こと、
「上記構成において、除湿運転時は、第１図に示すようにドレンタンク(9)が本体ケース(1)内の所定位置に挿入され、切り換えスイッチ(20)は第２図に示すようにその接点(20A)がＮＣ接点側に接している。このため、運転スイッチ(17)を投入すると、両モータ(18)(19)とランプ(14)が通電され、圧縮機(10)及び送風機(8)が運転するとともに、ランプ(14)が点灯する。」（第６頁６行〜１３行）こと、
「ドレンタンク(9)内のドレン水が所定量以上（満水時）になると、この水位の上昇に伴うフロート装置(12)の回動によって切り換えスイッチ(20)が作動し、この切り換えスイッチ(20)の接片(20A)がＮＣ接点側からＮＯ接点側に切り換わり、タイマー装置(21)がブザー(15)を発音させて満水になったことを知らせるとともに、ランプ(14)が消灯して除湿運転を停止させる。」（第７頁６行〜１３行）こと、が図面とともに記載され、これら記載事項及び図面の記載を参酌すると引用例１には、
「吸込み口(2)と吹出し口(3)を有する本体ケース(1)内に、圧縮機(10)、蒸発器(6)及び凝縮器(7)、送風機(8)を装着すると共に、前記本体ケース(1)内にドレンタンク(9)を収納する収納空間を形成し、前記本体ケース(1)の一側面に形成され、且つ、前記収納空間に連通するタンク取出し口(4)からドレンタンク(9)を着脱自在に装着する除湿器において、前記吸込み口(2)を前記本体ケース(1)の一側面側に形成し、ドレンタンク(9)が収納空間内の所定位置に収納された状態を検出し接点を切り換える切り換えスイッチ(20)を設け、該切り換えスイッチ(20)の出力に基づいて圧縮機(10)及び送風機(8)を制御する制御手段を設けた除湿器」が記載されている。
　また、同じく引用した本願出願前に頒布された刊行物である、実願昭６２−２３０１９号（実開昭６３−１３２２２２号）のマイクロフィルム（以下、「引用例２」という。）には、
「本考案の一実施例を図面に基づいて詳細に説明する。第２図に示した(1)は本考案に係る除湿器で、(2)は本体ケース、(3)は本体内下部に引き出し自在に設けられ前面上端に把手(3A)が形成されたドレンタンク、(4)はドレンタンク(3)の下方に引き出し自在に設けられ把手(4A)を備えた補助ドレンパンである。ここで、本体ケース(2)の前面下部にはドレンタンク引き出し用の第１開口(5)が形成され、一側面上部には空気吸込口(6)が形成され、さらに他側面上部には空気吹出口(7)、他側面下部には補助ドレンパン引き出し用の第２開口(8)が形成されている。又、(10)は運転スイッチ等を備えた操作部を開閉自在に覆う開閉扉、(11)は持ち運び用の把手である。」（第４頁１行〜１４行）こと、が図面とともに記載され、これら記載事項及び図面の記載を参酌すると、引用例２には、
「空気吸込口(6)と空気吹出口(7)とを有する本体ケース(2)内に圧縮機(30)、蒸発器(15)、送風機を装着すると共に、前記本体ケース(2)内にドレンタンク(3)を収納するドレンタンク収納室(21)を形成し、前記本体ケース(2)の一側面に形成され、且つ、前記ドレンタンク収納室(21)に連通する開口部（第１開口(5)）からドレンタンク(3)を着脱自在に装着する除湿器において、前記本体ケース(2)の上部に持ち運び用の把手(11)をドレンタンク収納室(21)に連通する開口部を設けた面と略平行に形成した除湿器」が記載されている。
　同じく引用した本願出願前に頒布された刊行物である、特開平１−２０７０１３号公報（以下、「引用例３」という。）には、
「(1) ジュースカップが取外し可能なジューサー本体の外周両側部にハンドルの両端部を枢着したジューサーにおいて、前記ハンドル両端部が、前記ジュースカップを直立状態で載置したジューサー本体の重心の位置の上方でこの重心よりもジュースカップの載置位置に近寄った部位に枢着されていることを特徴とするジューサー。」（特許請求の範囲の請求項１）、
　ジューサーに関し、
「本実施例のジューサーによれば、ハンドル600を握ってジュースカップ110を載置したままジューサー本体Ａを持ち運んでも、ジュースカップ110が上になるように傾斜するので、ジュースカップ110を落すことがなくなる。」（第３頁右上欄５行〜９行）こと、
「本発明にかかるジューサーは、以上説明したように、ジュースカップが直立するようにジューサー本体を水平な基台上に載置したとき、前記ジュースカップを載置したジューサー本体の重心の位置の上方であって、この重心よりもジュースカップの載置位置に近寄った部位に、前記ハンドル両端部が枢着されているので、ハンドルを握って、ジュースが満たされたジュースカップを載置したジューサー本体を運ぶときでも、ジュースカップがジューサー本体から脱落することがなく、ジューサーの使い易さが向上する。」（第３頁左下欄１９行〜右下欄９行）こと、が図面とともに記載されている。
　　　　　　
３．請求項１に係る発明について
（対比）
　本願の請求項１に係る発明と引用例１記載のものとを対比すると、引用例１記載の「吸込み口(2)」、「吹出し口(3)」、「本体ケース(1)」、「圧縮機(10)」、「蒸発器(6)及び凝縮器(7)」、「送風機(8)」、「ドレンタンク(9)」は、その機能に照らして本願の請求項１に係る発明における「吸気口」、「排気口」、「本体」、「圧縮機」、「熱交換器」、「送風機」、「水受容器」にそれぞれ相当する。また引用例１記載の「タンク取出し口(4)」は収納空間に連通する開口部であることは明らかであり、さらに引用例１記載の「切り換えスイッチ(20)」は、ドレンタンク(9)が収納空間内の所定位置に収納された状態を検出し接点を切り換えるものであって、本願の請求項１に係る発明における「検出手段」に相当する。しかも、本願の請求項１に係る発明の実施例として除湿器が記載されており、引用例１記載の「除湿器」も、「空気調和機」と認められる。したがって、上記両者は、
「吸気口と排気口とを有する本体内に、圧縮機、熱交換器、送風機を装着すると共に、前記本体内に水受容器を収納する収納空間を形成し、前記本体一側面に形成され、且つ、前記収納空間に連通する開口部から水受容器を着脱自在に装着する空気調和機において、前記吸気口を本体一側面側に形成し、水受容器が収納空間内の所定位置に収納された状態を検出する検出手段を設け、該検出手段の出力に基づいて圧縮機及び送風機を制御する制御手段を設けた空気調和機」の点で一致し、下記相違点（１）及び（２）で相違している。
相違点（１）
　本願の請求項１に係る発明では、吸気口を本体一側面側もしくは本体一側面に対向する他側面側に形成したのに対し、引用例１記載のものでは、吸気口を本体一側面側に形成した点。
相違点（２）
　本願の請求項１に係る発明では、本体上部に吸気口を設けた面と略平行となる把手部を形成し、本体重心を、他側面側に設けたのに対し、引用例１記載のものでは、把手部を有さず、また重心の記載もない点。
（当審の判断）
　そこで、上記相違点について検討する。
相違点（１）について
　平面視方形に形成した空気調和機において、吸気口を、引用例１に記載されたように本体一側面側に形成することも、また引用例２に記載されたように本体一側面側以外の面に形成することも知られており、しかも吸気口を本体のどの面に形成するかは設計上の事項と認められるから、吸気口を本体一側面側もしくは本体一側面に対向する他側面側に形成することは当業者が容易に想到し得たことである。
相違点（２）について
　引用例２記載の「空気吸込み口(6)」、「空気吹出し口(7)」、「本体ケース(2)」、「圧縮機(30)」、「蒸発器(15)」、「送風機」、「ドレンタンク(3)」、「ドレンタンク収納室(21)」、「持ち運び用の把手(11)」は、その機能に照らして本願の請求項１に係る発明における「吸気口」、「排気口」、「本体」、「圧縮機」、「熱交換器」、「送風機」、「水受容器」、「収納空間」、「把手部」にそれぞれ相当する。また本願の請求項１に係る発明の実施例として除湿器が記載されており、引用例２記載の「除湿器」も、「空気調和機」と認められるから、引用例２には、「吸気口と排気口とを有する本体内に、圧縮機、熱交換器、送風機を装着すると共に、前記本体内に水受容器を収納する収納空間を形成し、前記本体一側面に形成され、且つ、前記収納空間に連通する開口部から水受容器を着脱自在に装着する空気調和機において、前記本体上部に前記開口部を設けた面と略平行となる把手部を形成したもの」が記載されており、また引用例３には、ジューサーに関するものではあるが、ハンドル両端部を、ジュースカップを直立状態で載置したジューサー本体の重心の位置の上方でこの重心よりもジュースカップの載置位置に近寄った部位に枢着すること、すなわち本体上部にハンドル（把手部）を形成し、本体重心を、ジュースカップを載置する側とは他側面側に設けること、またこのように設けることにより「ハンドルを握って、ジュースが満たされたジュースカップを載置したジューサー本体を運ぶときでも、ジュースカップがジューサー本体から脱落することがなくなる」ことが記載されている。してみると、引用例１記載のものに、引用例２記載のように本体上部に把手部を形成するに際して、引用例１には水受容器を着脱自在に装着する開口部と吸気口とを同じ面に形成することが記載されており、水受容器を着脱自在に装着する開口部を形成した面すなわち吸気口を形成した面と略平行に把手部を形成すること、さらには、引用例２、引用例３記載のものはともに液体容器を載置した装置を把持部により持ち運び運搬するものであって、持ち運び運搬時に液体容器の脱落を防止することはこのような装置において自明の課題であるから、その際に、引用例３記載の持ち運び運搬時における液体容器の脱落を防止する技術を適用して、本体重心を、他側面側に設けること、すなわち相違点（２）における本願の請求項１に係る発明の構成とすることは、引用例１乃至３の記載から当業者が容易に想到し得ることである。
　そして、上記相違点を総合しても、本願の請求項１に係る発明が、格別の作用、効果を奏するものとも認められない。
　したがって、本願の請求項１に係る発明は、引用例１乃至３記載の発明に基づいて容易に発明をすることができたものである。
　　　　　
４．請求項３に係る発明について
（対比）
　本願の請求項３に係る発明と引用例１記載のものとを対比すると、引用例１記載の「吸込み口(2)」、「吹出し口(3)」、「本体ケース(1)」、「圧縮機(10)」、「蒸発器(6)及び凝縮器(7)」、「送風機(8)」、「ドレンタンク(9)」は、その機能に照らして本願の請求項３に係る発明における「吸気口」、「排気口」、「本体」、「圧縮機」、「熱交換器」、「送風機」、「水受容器」にそれぞれ相当する。また引用例１記載の「タンク取出し口(4)」は収納空間に連通する開口部であることは明らかであり、さらに引用例１記載の「切り換えスイッチ(20)」は、ドレンタンク(9)が収納空間内の所定位置に収納された状態を検出し接点を切り換えるものであって、本願の請求項３に係る発明における「検出手段」に相当する。しかも、上記したとおり引用例１記載の「除湿器」も、「空気調和機」と認められる。したがって、上記両者は、
「吸気口と排気口とを有する本体内に、圧縮機、熱交換器、送風機を装着すると共に、前記本体内に水受容器を収納する収納空間を形成し、前記本体一側面に形成され、且つ、前記収納空間に連通する開口部から水受容器を着脱自在に装着する空気調和機において、前記吸気口を本体一側面側に形成し、水受容器が収納空間内の所定位置に収納された状態を検出する検出手段を設け、該検出手段の出力に基づいて圧縮機及び送風機を制御する制御手段を設けた空気調和機」の点で一致し、下記相違点（１）及び（３）で相違している。
相違点（１）
　本願の請求項３に係る発明では、吸気口を本体一側面側もしくは本体一側面に対向する他側面側に形成したのに対し、引用例１記載のものでは、吸気口を本体一側面側に形成した点。
相違点（３）
　本願の請求項３に係る発明では、本体上部に吸気口を設けた面と略平行となる把手部を形成し、水受容器の渇水状態において、本体重心を、他側面側に設けたのに対し、引用例１記載のものでは、把手部を有さず、また重心の記載もない点。
（当審の判断）
　そこで、上記相違点について検討する。
　相違点（１）については、上記『３．請求項１に係る発明について』における『相違点（１）について』で記載したとおり容易に想到し得たものである。
相違点（３）について
　引用例２記載の「空気吸込み口(6)」、「空気吹出し口(7)」、「本体ケース(2)」、「圧縮機(30)」、「蒸発器(15)」、「送風機」、「ドレンタンク(3)」、「ドレンタンク収納室(21)」、「持ち運び用の把手(11)」は、その機能に照らして本願の請求項１に係る発明における「吸気口」、「排気口」、「本体」、「圧縮機」、「熱交換器」、「送風機」、「水受容器」、「収納空間」、「把手部」にそれぞれ相当する。また上記したとおり引用例２記載の「除湿器」も「空気調和機」と認められるから、引用例２には、「吸気口と排気口とを有する本体内に、圧縮機、熱交換器、送風機を装着すると共に、前記本体内に水受容器を収納する収納空間を形成し、前記本体一側面に形成され、且つ、前記収納空間に連通する開口部から水受容器を着脱自在に装着する空気調和機において、前記本体上部に前記開口部を設けた面と略平行となる把手部を形成したもの」が記載されており、また引用例３の記載において、ジュースカップにジュースを入れた状態を「ジュースを略定格容量満たしたジュースカップ」「ジュースが満たされたジュースカップ」「ジュースが入ったジュースカップ」と記載され、単にジュースカップとのみ表記した状態ではジュースカップそのものであってジュースが入れられていない状態、すなわち本件請求項３に係る発明にいう渇水状態を意味するものと認められるから、引用例３には、ジューサーに関するものではあるが、ハンドル両端部を、渇水状態のジュースカップを直立状態で載置したジューサー本体の重心の位置の上方でこの重心よりもジュースカップの載置位置に近寄った部位に枢着すること、すなわち本体上部にハンドル（把手部）を形成し、ジュースカップの渇水状態において、本体重心を、ジュースカップを載置する側とは他側面側に設けること、またこのように設けることにより「ハンドルを握って、ジュースカップを載置したジューサー本体を運ぶときでも、ジュースカップがジューサー本体から脱落することがなくなる」ことが記載されている。してみると、引用例１記載のものに、引用例２記載のように本体上部に把手部を形成するに際して、引用例１には水受容器を着脱自在に装着する開口部と吸気口とを同じ面に形成することが記載されており、水受容器を着脱自在に装着する開口部を形成した面すなわち吸気口を形成した面と略平行に把手部を形成すること、さらには、引用例２、引用例３記載のものはともに液体容器を載置した装置を把持部により持ち運び運搬するものであって、持ち運び運搬時に液体容器の脱落を防止することはこのような装置において自明の課題であるから、その際に、引用例３記載の持ち運び運搬時における液体容器の脱落を防止する技術を適用して、水受容器の渇水状態において、本体重心を、他側面側に設けること、すなわち相違点（３）における本願の請求項３に係る発明の構成とすることは、引用例１乃至３の記載から当業者が容易に想到し得ることである。
　そして、上記相違点を総合しても、本願の請求項３に係る発明が、格別の作用、効果を奏するものとも認められない。
　したがって、本願の請求項３に係る発明は、引用例１乃至３記載の発明に基づいて当業者が容易に発明をすることができたものである。
　　　　　
５．むすび
　以上のとおり、本願の請求項１及び請求項３に係る発明は、いずれも引用例１乃至３記載の発明に基づいて容易に発明をすることができたものであるから、特許法第２９条第２項の規定により特許を受けることができない。
　よって、結論のとおり審決する。